(57)【特許請求の範囲】
【請求項１】
一定高さ寸法を有する４つの矩形をした側面パネルを有し、これら４
つの側面パネルにより断面方形の筒状空間が形成され、上記４つの側面パネルの上下端のそれぞれには、それらの側面パネルと同幅で、対向する側面パネル間間隔の１／２の延出幅で延出する可動パネルが延出させられている容器であって、
一方の対向する２つの側面パネルから延出する２つの可動パネルには、その外面における端縁に沿って接着面が形成されているとともに、この接着面に着脱自在な離型紙が貼り合わされている一方、他方の対向する２つの側面パネルから延出する２つの可動パネルには、その内面における端縁に沿って接着面が形成されているとともに、この接着面に着脱自在な離型紙が貼り合わされていることを特徴とする、容器。
【請求項２】
各パネルは、段ボールによって構成されている、請求項１に記載の容器。
【発明の詳細な説明】
【０００１】
【発明の属する技術分野】
本願発明は、一体化された複数のパネルからなり、適宜のパネルどうしを重ね合わせ接続することによって収容空間が形成される容器に関する。
【０００２】
【従来の技術】
物品の輸送には、いわゆる段ボール箱などの容器が汎用されている。一般的な段ボール箱の非組み立て状態を図５に示すが、この段ボール箱（容器）１は、４つの側面パネル10，11，12，13を有し、これらの側面パネル10…が上下に開口した筒状空間20を形成している。各側面パネル10…の上下端のそれぞれからは、可動パネル10ａ，10ｂ…13ａ，13ｂが一体的に延出している。このような構成の段ボール箱１では、図６に示したように上端側の可動パネル10ａ〜13ａを互いに接続することによって筒状空間20の上部開口が閉塞され、下端側の可動パネル10ｂ〜13ｂを互いに接続することによって筒状空間20の下部開口が閉塞されるようになされている。すなわち、上端側の各可動パネル10ａ〜13ａによって容器１の上蓋部が形成され、下端側の可動パネル10ｂ〜13ｂによって容器１の底部が形成される。通常は、筒状空間20の下部開口のみを閉塞し、この状態において形成される収容空間20内に所定の物品を収容した後に上部開口を閉塞することによって物品が輸送可能な状態とされる。
【０００３】
このように、上端側および下端側の可動パネル10ａ〜13ａ，10ｂ〜13ｂが接続されて筒状空間20の上下開口がそれぞれ閉塞されるのであるが、可動パネル10ａ〜13ａ，10ｂ〜13ｂの一般的な接続方法を上端側の可動パネル10ａ〜13ａを例にとり、図６（ａ）〜（ｃ）を参照しつつ簡単に説明する。
【０００４】
まず、図６（ａ）に示したように、対向する側面パネル10，12に付属する可動パネル10ａ，12ａをそれぞれ内側に90度程度折り曲げる。このとき、各可動パネル10ａ，12ａの先端部どうしを、粘着テープなどを用いて接続してもよい。次に、同図（ｂ）に示したように残りの可動パネル11ａ，13ａを同じく内側に90度程度折り曲げて、これらの可動パネル11ａ，13ａによって先に折り曲げた可動パネル10ａ，12ａを覆うようにする。最後に、同図（ｃ）に示したように可動パネル11ａ，13ａの先端部どうしを粘着テープ４を用いて接続することによって上端側の各可動パネル10ａ〜13ａが接続されて筒状空間20の上部開口が閉塞される。
【０００５】
【発明が解決しようとする課題】
しかしながら、上記したような普通の段ボール箱１では、筒状空間20の上下の開口を閉塞すべく各可動パネル10ａ〜13ａ，10ｂ〜13ｂを接続するためには、段ボール箱１を組み立ててその筒状空間20に物品を梱包する作業者側が粘着テープ４を予め準備しておく必要があるばかりか、粘着テープ４を適当な長さに切断し、貼り付ける作業も必要となり、梱包する作業者にとっては著しく不便である。
【０００６】
本願発明は、上記した事情のもとで考え出されたものであって、物品などを梱包する作業者の負担を軽減することできる容器を提供することをその課題としている。
【０００７】
【発明の開示】
上記の課題を解決するため、本願発明では、次の技術的手段を講じている。
【０００８】
すなわち、本願発明により提供される容器は、一定高さ寸法を有する４つの矩形をした側面パネルを有し、これら４つの側面パネルにより断面方形の筒状空間が形成され、上記４つの側面パネルの上下端のそれぞれには、それらの側面パネルと同幅で、対向する側面パネル間間隔の１／２の延出幅で延出する可動パネルが延出させられている容器であって、一方の対向する２つの側面パネルから延出する２つの可動パネルには、その外面における端縁に沿って接着面が形成されているとともに、この接着面に着脱自在な離型紙が貼り合わされている一方、他方の対向する２つの側面パネルから延出する２つの可動パネルには、その内面における端縁に沿って接着面が形成されているとともに、この接着面に着脱自在な離型紙が貼り合わされていることを特徴としている。なお、各パネル（容器）を構成する素材としては、紙やプラスチックなどが挙げられるが、コスト的な面などを考慮して段ボールが好適に使用される。
【０００９】
接着面は、通常は離型紙が貼り合わされて接着面が露出しない状態とされているが、離型紙を剥がすことによって容易に接着面を露出させることができる。したがって、容器を組み立てたり、あるいは容器の上部開口を塞ぐ際に離型紙を剥がして接着面を露出させて各パネルどうしを重ね合わせればよい。
【００１０】
たとえば、段ボール箱においては、各側面パネルの下端から延出する可動パネルどうしを接続すれば側面パネルによって形成される空間の下部開口を閉塞して有底箱状とすることができ、その内部（収容空間内）に物品などを収容可能な状態とされる。この際、従来の段ボール箱のように粘着テープなどを用いて各可動パネルどうしを接続して底部を形成する必要はなく、本願発明では接続される（可動）パネルの張り合わせ部位に設けられた接着面を利用してパネルどうしを接続することができる。このため、容器を組み立てたり、その内部に物品を梱包する者が、粘着テープなどを予め用意し、またこれを適当な長さに切断し、貼り付ける必要もなく、離型紙を剥がすといった簡易な作業によって各パネルどうしを接続することができる。
【００１１】
そして、内部（収容空間内）への物品の収容が終了した場合には、各側面パネルの上端から延出する（可動）パネルどうしを同様にして接続すれば上記空間の上部開口が閉塞される。このように、本願発明に係る容器では、物品などを梱包する作業者の負担を軽減することできる。
【００１２】
本願発明のその他の特徴および利点は、添付図面を参照して以下に行う詳細な説明によって、より明らかとなろう。
【００１３】
【発明の実施の形態】
以下、本願発明の好ましい実施の形態を図面を参照して具体的に説明する。図１は、本願発明に係る容器の非組み立て状態での全体斜視図、図２は、図１において実線Ａで囲んだ領域に相当する部分の拡大図、図３および図４は、図１の容器の組み立て方法を説明するための斜視図である。なお、これらの図においては、従来例を説明するために参照した図面に表されていた部材および要素などと同等なものには同一の符号を付してある。
【００１４】
本願発明の容器（段ボール箱）１は、図１に示したように４つの側面パネル10，11，12，13を有し、これらの側面パネル10…が上下に開口した筒状空間20を形成している。各側面パネル10…の上下端のそれぞれからは、可動パネル10ａ，10ｂ…13ａ，13ｂが一体的に延出している。なお、各パネル10，10ａ…13ａ，13ｂは、平板紙の間に波板紙を挟み込んだいわゆる段ボールによって形成されている。
【００１５】
図１および図２に良く表れているように、各可動パネル10ａ，10ｂ…13ａ，13ｂの端縁には、この端縁に沿うようにして延びる接着面50が形成されている。この接着面50は、接着剤を塗布し、あるいは両面が接着部位とされたテープを貼着するなどして形成されており、通常の状態においては離型紙５が着脱自在に貼り合わされて接着面50が露出しないようになされている。すなわち、図２に良く表れているように、必要に応じて離型紙５を剥がして接着面50を露出させ、必要がなければ接着面50が離型紙５によって覆い隠されている。
【００１６】
一般的な段ボール箱においては、互いに対向する側面パネル10，12（11，13）の下端部から延出する可動パネル10ｂ，12ｂを先に内側に折り曲げ、残りの可動パネル11ｂ，13ｂをさらに内側に折り曲げることによって底部が形成される。すなわち、先に折り曲げる可動パネル10ｂ，12ｂの外面と、後に折り曲げる可動パネル11ｂ，13ｂの内面とが張り合わされる。このため、本実施形態では先に折り曲げる可動パネル10ｂ，12ｂについては外面側に、後に折り曲げる可動パネル11ｂ，13ｂについては内面側に接着面50，…がそれぞれ形成されている。一方、側面パネル10…13の上端側から延出する可動パネル10ａ…13ａについても、先に折り曲げる可動パネル10ａ，12ａについては外面側に、後に折り曲げる可動パネル11ａ，13ａについては内面側に接着面50，…がそれぞれ形成されている。
【００１７】
このように構成された容器１では、下端側の可動パネル10ｂ…13ｂによって先に底部が形成されて有底箱状とされ、この状態において収容空間20内に所定の物品が収容される。そして、物品を収容した場合には、収容空間20の上部開口が上端側の可動パネル10ａ…13ａによって閉塞されて、物品を輸送可能な状態とされる。
【００１８】
ところで、下端側の可動パネル10ｂ…13ｂによる底部の形成作業は、上端側の可動パネル10ａ…13ａによる収容空間20の閉塞作業と同様であるが、ここでは図３および図４を参照して収容空間20の閉塞作業について簡単に説明する。
【００１９】
すなわち、図３に示したように、まず可動パネル10ａ，12ａをそれぞれ内側に折り曲げ、離型紙５を剥がしてこれらのパネル10ａ，12ａに形成された接着面50，50を露出させておく。これらの可動パネル10ａ，12ａには外面側に接着面50，50が形成されていることから、上記した可動パネル10ａ，12ａを内側に折り曲げた場合には接着面50，50が上方を向いた状態で露出している。次いで、図４に示したように、離型紙５を剥がして接着面50，50を露出させた状態で残りの可動パネル11ａ，13ａを内側に折り曲げてこれらの可動パネル11ａ，13ａを先に折り曲げた可動パネル10ａ，12ａと重ね合わせる。このとき、各可動パネル10ａ〜13ａの重ね合わせ面は、接着面50…が露出した状態とされていることから、各可動パネル10ａ〜13ａが相互に接続され、これらの可動パネル10ａ…によって蓋が形成される。
【００２０】
このように、本実施形態において説明した容器１では、物品などを梱包する際に、予め作業者が粘着テープを準備しておき、またこの粘着テープを所定の長さに切断し貼り付ける作業が不要であるから、従来の段ボール箱のような粘着テープを利用した方法に比較して作業者の負担を軽減することができる。
【００２１】
本実施形態においては、段ボール箱として構成された容器１について説明したが、その他の構成の容器についても本願発明の技術思想を適用することができる。たとえば、プラスチックやボール紙などの素材が用いられるもの、あるいは他の結合（組み立て）方式によって容器状とされるものにおいても、重ね合わせ接続されるパネルどうしを、予め形成された接着面によって接続するようにしてもよい。
【００２２】
なお、本実施形態においては、各可動パネル10ａ…13ａに形成された全ての接着面50，…が露出させられ、これらを利用して各可動パネル10ａ…13ａが重ね合わせ接続されたが、先に折り曲げた可動パネル10ａ，12ａ、あるいは後に折り曲げた可動パネル11ａ，13ａのいずれか一方の組に形成された接着面50，50を利用すれば十分な強度で各可動パネル10ａ…13ａを接続することができる。
【００２３】
また、接着面50，…を成形する部位は、容器１の組み立て方式などによって適宜選択すればよく、必ずしも本実施形態において説明した部位に接着面50，…を形成する必要はない。
【図面の簡単な説明】
【図１】本願発明に係る容器の非組み立て状態での全体斜視図である。
【図２】図１において実線Ａで囲んだ領域に相当する部分の拡大図である。
【図３】図１の容器の組み立て方法を説明するための斜視図である。
【図４】図１の容器の組み立て方法を説明するための斜視図である。
【図５】従来の段ボール箱（容器）の非組み立て状態を表す全体斜視図である。
【図６】図５の段ボール箱の組み立て方法の一例を説明するための斜視図である。
【符号の説明】
１  段ボール箱（容器としての）
５  離型紙
10〜13  側面パネル
10ａ〜13ａ  可動パネル（上端側の）
10ｂ〜13ｂ  可動パネル（下端側の）
20  筒状空間（収容空間）
50  接着面
【図１】
0004234238.tif 000002
【図２】
0004234238.tif 000003
【図３】
0004234238.tif 000004
【図４】
0004234238.tif 000005
【図５】
0004234238.tif 000006
【図６】
0004234238.tif 000007